【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
逆転式空気濾過システムにおいて使用されるフィルタ装置であって、
該装置は、
汚染物質含有流体流に相互接続される働きをする入口端部を有する粒状物フィルタ・バッグであって、前記入口端部と、反対側に配設されたキャップ端部との間に内部体積を形成し、前記内部体積に面する上流表面と、前記内部体積から離間した方向を向く下流表面とを有する粒状物フィルタ・バッグと、
前記内部体積の支持を維持するために前記粒状物フィルタ・バッグの長手軸心に沿い配設された少なくともひとつの支持体であって、前記長手軸心に対して直交して配向された複数個の剛性リングを備え、前記複数個の剛性リングは各々が前記粒状物フィルタ・バッグに対して相互接続される支持体と、
前記粒状物フィルタ・バッグと前記少なくともひとつの支持体との回りに着脱自在に配設されたスリーブであって、前記粒状物フィルタ・バッグの前記下流表面側に配設されるスリーブとを備える、
フィルタ装置。
【請求項２】
請求項１記載のフィルタ装置において、
前記粒状物フィルタ・バッグはePTFEを備える。
【請求項３】
請求項２記載のフィルタ装置において、
前記粒状物フィルタ・バッグは、裏材と、ePTFE積層体とを備える。
【請求項４】
請求項３記載のフィルタ装置において、
前記ePTFE積層体は前記裏材の上流に配設される。
【請求項５】
請求項３記載のフィルタ装置において、
前記裏材はガラス繊維織物を備える。
【請求項６】
請求項２記載のフィルタ装置において、
前記粒状物フィルタ・バッグは、水位計で0.5インチ（約1.3cm）の差圧にて測定された2cfm/ft2（約36.6m3/h/m2）より大きい通気率と、0.3ミクロンにおける80％より大きい濾過効率(5.3cm/s)とを備える。
【請求項７】
請求項１記載のフィルタ装置において、
前記スリーブは、気体状汚染物質を回収する物質を備える。
【請求項８】
請求項７記載のフィルタ装置において、
前記スリーブは吸着物質を備える。
【請求項９】
請求項８記載のフィルタ装置において、
前記吸着物質は炭素織物層を備える。
【請求項１０】
請求項９記載のフィルタ装置において、
前記炭素織物層は、ノボラック繊維およびノボロイド繊維の少なくとも一方から生成された活性炭素繊維を備える。
【請求項１１】
請求項８記載のフィルタ装置において、
前記吸着物質は、ポリマ接着剤により前記スリーブの支持材料に接着された活性炭素粒子を備え、
前記ポリマ接着剤は、(a)ポリマ列および(b)分散した一次ポリマ粒子を備え、前記炭素粒子は該ポリマ接着剤により保持される。
【請求項１２】
請求項７記載のフィルタ装置において、
前記スリーブは触媒物質を備える。
【請求項１３】
請求項１２記載のフィルタ装置において、
前記スリーブは触媒フェルトおよび触媒織物の少なくとも一方を備える。
【請求項１４】
請求項１３記載のフィルタ装置において、
触媒フェルトおよび触媒織物の前記少なくとも一方の触媒は、貴金属、遷移金属酸化物、アルカリおよびアルカリ土類金属の内の少なくとも一種類を備える。
【請求項１５】
逆転式空気濾過システムにおいて使用されるフィルタ装置であって、
該装置は、
汚染物質含有流体流に相互接続される働きをする入口端部を有する粒状物フィルタ・バッグであって、前記入口端部と、反対側に配設されたキャップ端部との間に内部体積を形成し、前記内部体積に面する上流表面と、前記内部体積から離間した方向を向く下流表面とを有する粒状物フィルタ・バッグと、
支持を維持するために前記粒状物フィルタ・バッグの長手軸心に沿い配設された少なくともひとつの支持体であって、前記長手軸心に対して直交して配向された複数個の剛性リングを備え、前記複数個の剛性リングは各々が前記粒状物フィルタ・バッグに対して相互接続される支持体と、
前記内部体積と、
前記粒状物フィルタ・バッグと前記少なくともひとつの支持体との回りに着脱自在に配設されたスリーブであって、前記粒状物フィルタ・バッグの前記下流表面側に配設され、前記粒状物フィルタ・バッグの周囲に円周方向に張設されるスリーブとを備える、
フィルタ装置。
【請求項１６】
請求項１記載のフィルタ装置において、
当該フィルタ装置は、前記粒状物フィルタ・バッグの前記キャップ端部に配設されたキャップを更に備え、
前記キャップは、前記スリーブに対して着脱自在に相互接続されることで、前記逆転式空気濾過システムの動作時に該スリーブを保持する。
【請求項１７】
請求項１５記載のフィルタ装置において、
前記スリーブは、前記粒状物フィルタ・バッグの前記入口に対応して該スリーブの端部に配設された耐摩耗性のカフ部を更に備える。
【請求項１８】
請求項１６記載のフィルタ装置において、
前記キャップから、前記粒状物フィルタ・バッグとは反対方向に延在するフックを更に備える。
【請求項１９】
流体流から粒状物を濾過する粒状物フィルタ・バッグであって、該粒状物フィルタ・バッグは上流側面および下流側面を有し、前記バッグは、第1要素として規定され、前記上流側面は濾過されるべき流体流に向けて配向され、該フィルタ粒状物フィルタ・バッグは入口端部と、反対側に配設されたキャップ端部との間に内部体積を形成し、該第1要素の前記上流側面は前記内部体積に面する粒状物フィルタ・バッグと、
前記流体流から水銀を除去する第2要素であって、該第2要素は前記第1要素の前記下流側面に配設され、該第2要素は前記フィルタ粒状物フィルタ・バッグの回りに配設され、前記流体流からの水銀の除去に使用される水銀吸着物質を有する第2要素と、
前記内部体積の支持を維持するために前記粒状物フィルタ・バッグの長手軸心に沿い配設された少なくともひとつの支持体であって、前記長手軸心に対して直交して配向された複数個の剛性リングを備え、前記複数個の剛性リングは各々が前記粒状物フィルタ・バッグに対して相互接続される支持体とを備える、
フィルタ・システム。
【請求項２０】
請求項１９記載のフィルタ・システムにおいて、
前記粒状物フィルタ・バッグはePTFEを備える。
【請求項２１】
請求項２０記載のフィルタ・システムにおいて、
前記粒状物フィルタ・バッグはガラス繊維織物とePTFE積層体とを備える。
【請求項２２】
請求項２０記載のフィルタ・システムにおいて、
前記粒状物フィルタ・バッグは、水位計で0.5インチ（約1.3cm）の差圧にて測定された2cfm/ft2（約36.6m3/h/m2）より大きい通気率と、0.3ミクロンにおける80％より大きい濾過効率(5.3cm/s)とを備える。
【請求項２３】
請求項１９記載のフィルタ・システムにおいて、
前記第2要素は、ノボラック繊維およびノボロイド繊維の少なくとも一方から生成された活性炭素繊維を備える。
【請求項２４】
請求項１９記載のフィルタ・システムにおいて、
前記水銀吸着物質は、ポリマ接着剤により前記第2要素の支持材料に接着された活性炭素粒子を備え、
前記ポリマ接着剤は、(a)ポリマ列および(b)分散した一次ポリマ粒子を備え、前記炭素粒子は該ポリマ接着剤により保持される。
【請求項２５】
請求項１９記載のフィルタ・システムにおいて、
前記水銀吸着物質は再生可能である。
【請求項２６】
流体流から粒状物を濾過する第1要素であって、該第1要素は上流側面および下流側面を有し、前記上流側面は濾過されるべき流体流に向けて配向される第1要素と、
前記流体流から水銀を除去する第2要素であって、該第2要素は前記第1要素の前記下流側面に配設され、該第2要素はノボラック繊維およびノボロイド繊維の少なくとも一方から生成された活性炭素繊維を有する第2要素と、
内部体積の支持を維持するために前記第1要素の長手軸心に沿い配設された少なくともひとつの支持体であって、前記長手軸心に対して直交して配向された複数個の剛性リングを備え、前記複数個の剛性リングは各々が前記第1要素に対して相互接続される支持体とを備える、
フィルタ・システム。
【請求項２７】
請求項２６記載のフィルタ・システムにおいて、
前記第1要素は粒状物フィルタ・バッグであり、
前記粒状物フィルタ・バッグは、裏材と、ePTFE積層体とを備え、
前記裏材はガラス繊維織物を備える。
【請求項２８】
請求項２６記載のフィルタ・システムにおいて、
前記第1要素は粒状物フィルタ・バッグであり、
前記粒状物フィルタ・バッグは、裏材と、ePTFE積層体とを備え、
前記粒状物フィルタ・バッグは、水位計で0.5インチ（約1.3cm）の差圧にて測定された2cfm/ft2（約36.6m3/h/m2）より大きい通気率と、0.3ミクロンにおける80％より大きい濾過効率(5.3cm/s)とを有する。
【請求項２９】
請求項２６記載のフィルタ・システムにおいて、
当該フィルタ・システムは逆転式空気濾過システムであり、
前記第1要素は粒状物フィルタ・バッグであり、
前記第2要素は前記第1要素の回りに配設され、
前記第1要素は入口端部と、反対側に配設されたキャップ端部との間に前記内部体積を形成し、
前記第1要素の前記上流側面は前記内部体積に面する。
【請求項３０】
請求項２６記載のフィルタ・システムにおいて、
当該フィルタ・システムはパルス噴射式濾過システムであり、
前記第1要素は粒状物フィルタ・バッグであり、
前記第2要素は前記第1要素の下流側面に沿いに配設され、
前記第1要素は、吐出端部と、反対側に配設されたキャップ端部との間に前記内部体積を形成し、
前記第1要素の前記下流側面は前記内部体積に面する。
【請求項３１】
流体流から粒状物を濾過する第1要素であって、該第1要素は上流側面および下流側面を有し、前記上流側面は濾過されるべき流体流に向けて配向される第1要素と、
前記流体流から水銀を除去する第2要素であって、該第2要素は前記第1要素の前記下流側面に配設される第2要素と、
を備えるフィルタ・システムであって、
前記第2要素は、前記流体流からの水銀の除去に使用される水銀吸着物質を備え、
前記水銀吸着物質は、前記第2要素の支持材料に対してポリマ接着剤により接着された活性炭素粒子を備え、
前記ポリマ接着剤は、(a)ポリマ列および(b)分散した一次ポリマ粒子を備え、前記炭素粒子は該ポリマ接着剤により保持され、
前記フィルタ・システムは、内部体積の支持を維持するために前記第1要素の長手軸心に沿い配設された少なくともひとつの支持体であって、前記長手軸心に対して直交して配向された複数個の剛性リングを備え、前記複数個の剛性リングは各々が前記第1要素に対して相互接続される支持体をさらに備えるフィルタ・システム。
【請求項３２】
請求項３１記載のフィルタ・システムにおいて、
前記第1要素は粒状物フィルタ・バッグであり、
前記第2要素は前記第1要素の回りに配設され、
前記第1要素は入口端部と、反対側に配設されたキャップ端部との間に前記内部体積を形成し、
前記第1要素の前記上流側面は前記内部体積に面する。
【請求項３３】
請求項３１記載のフィルタ・システムにおいて、
前記第1要素は粒状物フィルタ・バッグであり、
前記第2要素は前記第1要素の下流側面に沿いに配設され、
前記第1要素は、吐出端部と、反対側に配設されたキャップ端部との間に前記内部体積を形成し、
前記第1要素の前記下流側面は前記内部体積に面する。
【請求項３４】
空気濾過システムにおいて使用されるフィルタ装置であって、
該装置は、
濾過システムの多孔板に相互接続される働きをする第1端部を有する粒状物フィルタ・バッグであって、前記第1端部と、反対側に配設されたキャップ端部との間に内部体積を形成し、上流表面および下流表面を有する粒状物フィルタ・バッグと、
前記内部体積の支持を維持するために前記粒状物フィルタ・バッグの長手軸心に沿い配設された少なくともひとつの支持体であって、前記長手軸心に対して直交して配向された複数個の剛性リングを備え、前記複数個の剛性リングは各々が前記粒状物フィルタ・バッグに対して相互接続される支持体と、
前記粒状物フィルタ・バッグの前記下流表面の近傍に着脱自在に配設されたスリーブであって、再生可能であるスリーブとを備える、
フィルタ装置。
【請求項３５】
請求項３４記載のフィルタ装置において、
前記粒状物フィルタ・バッグはePTFEを備える。
【請求項３６】
請求項３４記載のフィルタ装置において、
前記スリーブは、ノボラック繊維およびノボロイド繊維の少なくとも一方から生成された活性炭素繊維を備える。
【請求項３７】
請求項３４記載のフィルタ装置において、
前記スリーブは、前記汚染物質含有流体流から水銀を吸着し、次に、前記流体流の温度に対して上昇された脱離温度に暴露されたときに水銀を脱離し、次に、引き続いて起こる前記汚染物質含有流体流への露出の間に水銀を再吸着する。